(57)【要約】      （修正有）【課題】反射係数が最小となる出力周波数を迅速に求め、その出力周波数に調整して高周波を出力する高周波電源装置を提供する。【解決手段】高周波電源装置１は、高周波電力の供給に応じて高周波電力の反射特性が時間的に変動する負荷Ｌに対して高周波電力を供給するものであって、高周波電力を発生する周波数変更可能な発振部１４及び増幅部１５と、負荷Ｌに入射される高周波電力と負荷Ｌから反射される高周波電力を検出するパワー検出部１６と、パワー検出部１６で検出された負荷Ｌへの入射電力と負荷Ｌからの反射電力とに基づいて反射係数を算出する反射係数算出部１７と、予め設定された周波数範囲内で周波数を変化させて発振部１４及び増幅部１５から高周波電力を発生させ、反射係数算出部１７で算出される反射係数が最小となる周波数を求め、求められた周波数の高周波電力を発振部１４及び増幅部１５で発生させ、負荷Ｌに供給する制御部１２とを備える。【選択図】図１
2006286254.tif 000002
【特許請求の範囲】
【請求項１】
高周波電力の供給に応じて当該高周波電力の反射特性が時間的に変動する負荷に対して前記高周波電力を供給する高周波電源装置であって、
前記高周波電力を発生する周波数変更可能な電力発生手段と、
前記負荷に入射される高周波電力と前記負荷から反射される高周波電力を検出する電力検出手段と、
前記電力検出手段で検出された前記負荷への入射電力と前記負荷からの反射電力とに基づいて反射係数を算出する反射係数算出手段と、
予め設定された周波数範囲内で周波数を変化させて前記電力発生手段から前記高周波電力を発生させ、前記反射係数算出手段で算出される反射係数が最小となる周波数を求める周波数探索手段と、
前記周波数探索手段で求められた周波数の高周波電力を前記電力発生手段で発生させ、前記負荷に供給する電力供給制御手段と、
を備えたことを特徴とする、高周波電源装置。
【請求項２】
前記周波数探索手段は、
前記周波数範囲内で設定された所定の初期周波数に対して前記周波数範囲よりも小さい探索範囲を設定する探索範囲設定手段と、
前記探索範囲手段で設定された探索範囲内に２つの周波数を設定する周波数設定手段と、
前記電力発生手段から前記周波数設定手段で設定された２つの周波数の高周波電力を発生させ、前記反射係数算出手段で算出される反射係数に基づき、前記２つの周波数のうち、反射係数の小さい周波数を決定する周波数決定手段と、
前記周波数決定手段によって決定された周波数に対して、前記探索範囲設定手段による前記探索範囲の設定、前記周波数設定手段による２つの周波数の設定、及び前記周波数決定手段による反射係数の小さい周波数の決定の処理を繰り返す探索処理制御手段と、からなる、請求項１に記載の高周波電源装置。
【請求項３】
前記周波数設定手段は、
前記探索範囲内を所定の比率で３つの領域に分割する２つの周波数を設定する、請求項２に記載の高周波電源装置。
【請求項４】
前記探索範囲設定手段は、
前記探索処理制御手段により周波数の探索処理が繰り返されるときには、探索範囲を前回の探索処理における探索範囲と異ならせる、請求項２又は３に記載の高周波電源装置。
【請求項５】
前記周波数探索手段によって求められた周波数における反射係数の所定の変動基準幅を決定する変動基準幅決定手段と、
前記電力供給制御手段によって高周波電力の周波数が制御されているときに、所定の周期で前記反射係数算出手段により反射係数を算出させる反射係数監視手段と、
前記反射係数算出手段によって算出される反射係数が前記変動基準幅を外れたか否かを判別する判別手段と、
前記判別手段により反射係数が前記変動基準幅を外れていなければ、前記電力発生手段により発生される高周波電力の周波数を前記周波数探索手段によって求められた周波数に保持し、前記判別手段により反射係数が前記変動基準幅を外れたと判別されると、前記周波数探索手段により反射係数が最小となる周波数を再探索させる周波数探索制御手段と、
を更に備えた、請求項２ないし４のいずれかに記載の高周波電源装置。
【請求項６】
前記変動基準幅は、
前記周波数探索手段によって求められた周波数における反射係数の値に応じて予め設定されており、かつ当該反射係数の値が小さいほどその基準幅が大きく設定されている、請求項５に記載の高周波電源装置。
【発明の詳細な説明】
【技術分野】
【０００１】
本願発明は、例えば半導体ウェハプロセスにおいて、プラズマエッチングを行うプラズマ処理装置等といった負荷に高周波電力を供給する高周波電源装置に関するものである。
【背景技術】
【０００２】
図１１は、特許文献１に記載の従来の高周波電力供給システムの構成例を示す図である。この高周波電力供給システムは、高周波電力を出力するための高周波電源装置３１と、この高周波電源装置３１に例えば同軸ケーブルを介して接続され、高周波電源装置３１の入力インピーダンスと負荷インピーダンスとを整合するためのインピーダンス整合器３２と、このインピーダンス整合器３２に接続された銅板等からなる負荷接続部３３と、この負荷接続部３３に接続され例えばプラズマ処理装置からなる負荷Ｌとで構成されている。
【０００３】
【特許文献１】特開平５−６３６０４号公報
【０００４】
高周波電源装置３１は、負荷Ｌに対して高周波電力を供給するための装置であり、図示しない電力増幅回路や発振回路等を備え、所定の電力に設定された高周波電力をインピーダンス整合器３２に出力する。
【０００５】
インピーダンス整合器３２は、その入力端から高周波電源装置３１側を見た入力インピーダンスと、その入力端から負荷Ｌ側を見た負荷インピーダンスとを整合させるためのものであり、高周波電源装置３１の出力を効率よく負荷Ｌに供給するのに用いられる。
【０００６】
負荷Ｌは、エッチングやＣＶＤ等の方法を用いて半導体ウェハや液晶基板等の被加工物を加工するための装置である。より詳細には、負荷Ｌは、例えばプラズマ処理装置（プラズマチャンバー）とされ、このプラズマ処理装置は、内部に備えた真空容器にプラズマ発生用のガスが導入され、供給された高周波電力を用いて上記ガスを電離させて、プラズマを発生させるものである。発生されたプラズマは、半導体ウェハや液晶基板等の被工作物を加工するために利用される。
【０００７】
ここで、負荷Ｌは、高周波電力の出力周波数ｆと反射係数Г（又はインピーダンス）との関係において、図１２に示すように、所定の出力周波数ｆｓにおいて反射係数Гが最小値Гｓとなるような特性を有する。また、負荷Ｌでは、プラズマ処理装置に封入されたガス、プラズマ処理装置内の気圧等の負荷状態によって、図１２の一点鎖線で示すように、時間の経過にともなって反射係数Гが最小値Гｓ′となる出力周波数ｆが出力周波数ｆｓ′に変化するというように、その特性が頻繁に変化する。
【０００８】
図１１に示すインピーダンス整合器３２には、インダクタＬ１，Ｌ２及びインピーダンス可変素子としての可変キャパシタＣ１，Ｃ２からなる整合回路と、高周波電圧Ｖ、高周波電流Ｉ、及び高周波電圧Ｖと高周波電流Ｉとの位相差θを検出する検出器（図略）と、可変キャパシタＣ１，Ｃ２のキャパシタンスの値を調整するための制御回路（図略）とが設けられている。可変キャパシタＣ１，Ｃ２は、制御回路から出力される制御信号に基づいてモータ（図略）が駆動し、そのキャパシタンスの値が調整可能となっている。
【０００９】
制御回路は、検出器によって検出された高周波電圧Ｖ、高周波電流Ｉ、及びそれらの位相差θを入力し、それらに基づいてインピーダンス整合器３２の入力インピーダンスＺ１を演算する。制御回路は、入力インピーダンスＺ１と、可変キャパシタＣ１，Ｃ２のインピーダンスＺｃ１，Ｚｃ２とに基づいて、インピーダンス整合器３２の出力端子から負荷Ｌ側を見た負荷回路側インピーダンスＺ２を演算する。
【００１０】
そして、制御回路は、算出された負荷回路側インピーダンスＺ２に基づいて、入力インピーダンスＺ１が高周波電源３１側の出力インピーダンスＺｓ（例えば５０Ω）に一致するように、可変キャパシタＣ１，Ｃ２の調整位置を変化させ、高周波電源３１と負荷Ｌとのインピーダンスを整合させるようになっている。
【００１１】
しかしながら、このインピーダンス整合器３２は、インピーダンスを整合させる処理に例えば約１秒程度の時間を要する。そのため、反射係数の最小値及びその出力周波数が時間の経過にともなって即座に変化する負荷Ｌには、上記インピーダンス整合器３２は不向きである。また、インピーダンス整合器３２では、上記したように、インピーダンス整合を行う際に、可変キャパシタＣ１，Ｃ２のキャパシタンスを調整するためのモータを駆動させるのであるが、インピーダンス整合器３２は、このようにモータ等の駆動部品を用いているため、メンテナンス性に優れたものといえず、また故障しやすいといった欠点を要する。さらに、インピーダンス整合器３２は、装置自体のコストが高いといった欠点もある。
【００１２】
そこで、本願出願人は、上記のような可変キャパシタＣ１，Ｃ２を備えたインピーダンス整合器３２を用いずに、高周波電源装置３１から出力される高周波電力の出力周波数を可変させることにより、負荷Ｌに対して適切な高周波電力を供給することができるのではと考え、本願発明に至った。
【発明の開示】
【発明が解決しようとする課題】
【００１３】
本願発明は、上記した事情のもとで考え出されたものであって、反射係数が最小となる高周波電力の出力周波数を迅速に求め、その出力周波数に調整して高周波電力を出力する高周波電源装置を提供することを、その課題とする。
【課題を解決するための手段】
【００１４】
上記の課題を解決するため、本願発明では、次の技術的手段を講じている。
【００１５】
本願発明によって提供される高周波電源装置は、高周波電力の供給に応じて当該高周波電力の反射特性が時間的に変動する負荷に対して前記高周波電力を供給する高周波電源装置であって、前記高周波電力を発生する周波数変更可能な電力発生手段と、前記負荷に入射される高周波電力と前記負荷から反射される高周波電力を検出する電力検出手段と、前記電力検出手段で検出された前記負荷への入射電力と前記負荷からの反射電力とに基づいて反射係数を算出する反射係数算出手段と、予め設定された周波数範囲内で周波数を変化させて前記電力発生手段から前記高周波電力を発生させ、前記反射係数算出手段で算出される反射係数が最小となる周波数を求める周波数探索手段と、前記周波数探索手段で求められた周波数の高周波電力を前記電力発生手段で発生させ、前記負荷に供給する電力供給制御手段と、を備えたことを特徴としている（請求項１）。
【００１６】
この構成によれば、供給される高周波電力の出力周波数に応じて反射特性が時間の経過にともなって変動する負荷に対して、予め設定された周波数範囲内において反射係数が最小となる出力周波数を求める。そして、求められた出力周波数を有する高周波電力を負荷に対して供給する。そのため、例えば出力周波数をスキャンして各出力周波数の反射係数を随時計測し、計測した反射係数の中から最小の反射係数を選択し、その反射係数に係る出力周波数を求める方法に比べ、短時間で反射係数が最小となる出力周波数を求めることができる。しかも、負荷が反射係数の最小値が時間の経過にともなって変動する場合、その変動に迅速に追従することができる。
【００１７】
また、上記高周波電源装置において、前記周波数探索手段は、前記周波数範囲内で設定された所定の初期周波数に対して前記周波数範囲よりも小さい探索範囲を設定する探索範囲設定手段と、前記探索範囲手段で設定された探索範囲内に２つの周波数を設定する周波数設定手段と、前記電力発生手段から前記周波数設定手段で設定された２つの周波数の高周波電力を発生させ、前記反射係数算出手段で算出される反射係数に基づき、前記２つの周波数のうち、反射係数の小さい周波数を決定する周波数決定手段と、前記周波数決定手段によって決定された周波数に対して、前記探索範囲設定手段による前記探索範囲の設定、前記周波数設定手段による２つの周波数の設定、及び前記周波数決定手段による反射係数の小さい周波数の決定の処理を繰り返す探索処理制御手段と、からなるとよい（請求項２）。
【００１８】
また、上記高周波電源装置において、前記周波数設定手段は、前記探索範囲内を所定の比率で３つの領域に分割する２つの周波数を設定するとよい（請求項３）。
【００１９】
また、上記高周波電源装置において、前記探索範囲設定手段は、前記探索処理制御手段により周波数の探索処理が繰り返されるときには、探索範囲を前回の探索処理における探索範囲と異ならせるとよい（請求項４）。
【００２０】
また、上記高周波電源装置において、前記周波数探索手段によって求められた周波数における反射係数の所定の変動基準幅を決定する変動基準幅決定手段と、前記電力供給制御手段によって高周波電力の周波数が制御されているときに、所定の周期で前記反射係数算出手段により反射係数を算出させる反射係数監視手段と、前記反射係数算出手段によって算出される反射係数が前記変動基準幅を外れたか否かを判別する判別手段と、前記判別手段により反射係数が前記変動基準幅を外れていなければ、前記電力発生手段により発生される高周波電力の周波数を前記周波数探索手段によって求められた周波数に保持し、前記判別手段により反射係数が前記変動基準幅を外れたと判別されると、前記周波数探索手段により反射係数が最小となる周波数を再探索させる周波数探索制御手段と、を更に備えるとよい（請求項５）。
【００２１】
また、上記高周波電源装置において、前記変動基準幅は、前記周波数探索手段によって求められた周波数における反射係数の値に応じて予め設定されており、かつ当該反射係数の値が小さいほどその基準幅が大きく設定されているとよい（請求項６）。
【００２２】
本願発明のその他の特徴および利点は、添付図面を参照して以下に行う詳細な説明によって、より明らかとなろう。
【発明を実施するための最良の形態】
【００２３】
以下、本願発明の好ましい実施の形態を、添付図面を参照して具体的に説明する。
【００２４】
図１は、本願発明に係る高周波電源装置が適用される高周波電力供給システムの一例を示す図である。この高周波電力供給システムは、半導体ウェハや液晶基板等の被加工物に対して高周波電力を供給して、例えばプラズマエッチングといった加工処理を行うものである。この高周波電力供給システムは、高周波電源装置１、伝送線路２、インピーダンス整合器３、負荷接続部４及び負荷Ｌで構成されている。
【００２５】
高周波電源装置１には、例えば同軸ケーブルからなる伝送線路２を介してインピーダンス整合器３が接続され、インピーダンス整合器３には、例えば電磁波が漏れないように遮蔽された銅板からなる負荷接続部４が接続され、負荷接続部４には、負荷Ｌが接続されている。
【００２６】
高周波電源装置１は、負荷Ｌに対して例えば数百ｋＨｚ以上の出力周波数を有する高周波電力を供給するための装置である。高周波電源装置１については後述する。
【００２７】
インピーダンス整合器３は、高周波電源装置１と負荷Ｌとのインピーダンスを整合させるものであり、図示しないが、インピーダンス素子であるキャパシタやインダクタ等を備えている。より具体的には、例えば高周波電源装置１の出力端から高周波電源装置１側を見たインピーダンス（出力インピーダンス）が例えば５０Ωに設計され、高周波電源装置１が、特性インピーダンス５０Ωの伝送線路２でインピーダンス整合器３の入力端に接続されているとすると、インピーダンス整合器３は、当該インピーダンス整合器３の入力端から負荷Ｌ側を見たインピーダンスを５０Ωに整合する。
【００２８】
負荷Ｌは、半導体ウェハや液晶基板等の被加工物をエッチングやＣＶＤ等の方法を用いて加工するためのプラズマ処理装置（プラズマチャンバー）である。プラズマ処理装置では、被加工物の加工目的に応じて各種の加工プロセスが実行される。例えば、被加工物に対してエッチングを行う場合には、そのエッチングに応じたガス種類、ガス圧力、高周波電力の供給電力値、及び高周波電力の供給時間等が適切に設定された加工プロセスが行われる。加工プロセスでは、被加工物が配置される容器（図略）内に例えば窒素やアルゴン等のプラズマ放電用ガスが導入され、高周波電力の供給が開始されると、容器内に設けられた２つの端子の間に所定の電圧が印加され、その印加された電圧によってプラズマ放電用ガスが放電されて非プラズマ状態からプラズマ状態になる。そして、プラズマ状態になったガスを用いて被加工物が加工される。
【００２９】
本実施形態における高周波電源装置１は、高周波電力を負荷Ｌに対して供給するものであって、出力周波数を調整して高周波電力を出力することのできる周波数可変装置である。すなわち、負荷Ｌでは、図１２に示したように、高周波電力の出力周波数に応じて反射係数の値が時間の経過にともなって変動するのであるが、この高周波電源装置１は、変動する反射係数の値を定期的に取得するようにし、反射係数が最小となるような高周波電力の出力周波数に調整して当該高周波電力を出力することにより、負荷Ｌに対して適切なエネルギーを供給するようにしている。
【００３０】
高周波電源装置１は、図１に示すように、出力電力設定部１１と、制御部１２と、メモリ１３と、発振部１４と、増幅部１５と、パワー検出部１６と、反射係数算出部１７とを備えている。
【００３１】
出力電力設定部１１は、例えばユーザ等によって負荷Ｌに出力すべき高周波電力を設定するためのものであり、図１では省略しているが、高周波電力の出力値を設定するための出力電力設定スイッチ、高周波電力の供給の開始を指示する出力開始スイッチ、及び後述する探索処理において用いられる基準出力周波数ｆ０を設定する周波数設定スイッチ等が備えられた操作部が設けられている。出力電力設定部１１において設定された高周波電力の出力値や基準出力周波数ｆ０のデータは、制御部１２に出力される。
【００３２】
制御部１２は、本高周波電源装置１の制御中枢となるものであり、反射係数算出部１７において算出された反射係数に基づいて、反射係数が最小となる出力周波数を探索し、取得する機能を有する。また、反射係数が出力周波数にともなって変動した場合、反射係数が最小となる出力周波数を追従し、取得する機能を有するとともに、上記探索機能及び追従機能によって取得された出力周波数に基づいて高周波電力の出力周波数を調整する機能を有する。
【００３３】
すなわち、上記したように負荷Ｌでは、時間の経過にともないその負荷状態、つまり反射係数が最小となる出力周波数が変動するのであるが、高周波電力の出力周波数が一定のまま負荷Ｌに供給すると、反射係数が増大していって、適当なエネルギーが負荷Ｌに対して供給されなくなることがあり、負荷Ｌにおいてプラズマが発生しなくなることがある。したがって、制御部１２では、常時、反射係数が最小となる出力周波数を追従して取得し、当該出力周波数に調整しながら負荷Ｌに対して高周波電力を供給することにより、負荷Ｌにおいてプラズマを適切に発生させるようにするとともに、その状態を維持させるようにしている。
【００３４】
制御部１２には、メモリ１３が接続されており、メモリ１３には、反射係数が最小となる高周波電力の出力周波数を探索、追従し、高周波電力をその出力周波数に調整するための制御プログラムが記憶されている。また、メモリ１３には、反射係数算出部１７において計測された反射係数の値や探索処理において取得された反射係数の値等が変数データとして記憶される。また、メモリ１３には、探索処理において取得された反射係数の最小値に対応して、追従処理を行うか否かの判別基準となる変動基準幅が予め記憶されている。この変動基準幅については後述する。
【００３５】
発振部１４は、制御部１２からの制御信号によってその発振出力の出力周波数が制御されるものである。すなわち、上記した探索処理及び追従処理によって出力周波数を調整する必要があると判別されたときには、発振部１４は、制御部１２から出力周波数を調整する内容の制御信号を入力し、その制御信号に基づいて発振出力の出力周波数を変換し、発振出力信号として増幅部１５に出力する。
【００３６】
増幅部１５は、発振部１４からの発振出力信号を増幅して高周波電力を出力するものである。増幅部１５において増幅された発振出力信号は、パワー検出部１６を介してインピーダンス整合器３に出力される。
【００３７】
パワー検出部１６は、増幅部１５から出力される高周波電力を検出するものであり、例えば、方向性結合器によって構成されている。パワー検出部１６は、増幅部１４から負荷Ｌ側に進行する高周波（以下、進行波という。）と負荷Ｌ側から反射してくる高周波（以下、反射波という。）とを分離して、それらの電力値をそれぞれ検出するものである。パワー検出部１６において検出された進行波及び反射波の電力値は、反射係数算出部１７に出力される。
【００３８】
反射係数算出部１７は、パワー検出部１６から入力される進行波の値及び反射波の電力値に基づいて、反射係数Гを算出するものである。反射係数Гは、例えば進行波の電力Ｐｆ及び反射波の電力Ｐｒとの割合Ｐｒ／Ｐｆを演算することにより求められる。この反射係数Гの値は、制御部１２からのタイマー割り込み信号に応じて制御部１２に対して定期的に出力される。
【００３９】
本高周波電源装置１においては、図２に示すような方法を用いて、反射係数が最小となる出力周波数ｆｍを求めている。すなわち、所定の周波数範囲ｆａ〜ｆｂに対して周波数範囲ｆａ〜ｆｂより小さい探索範囲ｄを設定する。探索範囲ｄ内で２点の出力周波数ｆａ′，ｆｂ′を選び、各出力周波数ｆａ′，ｆｂ′における反射係数の小さい方の出力周波数ｆｂ′を選択する。次いで、選択された出力周波数ｆｂ′を中心にして新たに探索範囲ｄ′を設定し、探索範囲ｄ′内で２点の出力周波数ｆａ″，ｆｂ″を選び、反射係数の小さい方の出力周波数ｆｂ″を選択する。そして、上記のように探索範囲を変更しながら反射係数が最小となる出力周波数ｆｍを求めるようにしている。
【００４０】
そして、反射係数が最小となる出力周波数ｆｍを求めた後、反射特性が変化して出力周波数ｆｍにおける反射係数が所定の閾値ГLを超えた場合、反射係数が最小となる出力周波数ｆｍ′を取得するために、上記した方法を繰り返す追従する処理を行っている。
【００４１】
上記方法に係る制御動作について図３に示すフローチャートを参照して説明する。この制御動作においては、まず、反射係数が最小となる高周波電力の出力周波数を探索し取得する探索処理が行われ、その後、反射係数の値が変動すると、その反射係数の値を追従して反射係数が最小となる出力周波数を取得する追従処理が行われ、高周波電力の出力を、取得した出力周波数に調整しながら負荷Ｌに対し供給する。
【００４２】
まず、ユーザの出力電力設定部１１を通じた操作によって、所定の周波数範囲ｆａ〜ｆｂ（例えば１３ＭＨｚ〜１４ＭＨｚ）に対して、高周波電力の出力レベルや高周波電力の出力周波数の探索処理において基準となる基準出力周波数ｆ０が設定される（Ｓ１）。この基準出力周波数ｆ０の値は、負荷Ｌであるプラズマ処理装置に対する出力周波数として標準的に用いられる、例えば１３．５６ＭＨｚに設定される。なお、基準出力周波数ｆ０の値は、これに限らず、任意の値に設定されてもよい。
【００４３】
次いで、反射係数が最小となる大まかな出力周波数を探索する探索処理（以下、「大略探索処理」という。）を行う。すなわち、この大略探索処理においては、図３に示すように、設定された任意の基準出力周波数ｆ０（例えば１３．５６ＭＨｚ）を中心として、所定の周波数範囲ｆａ〜ｆｂより狭い探索範囲ｄ（出力周波数ｆ１〜出力周波数ｆ２）が決定される（Ｓ２）。
【００４４】
この場合の探索範囲ｄは、基準出力周波数ｆ０を中心として例えば±１００ｋＨｚの範囲とされる。このように、所定の周波数範囲ｆａ〜ｆｂに対して探索範囲ｄを比較的狭い範囲に設定しているのは、プラズマ処理装置の場合、高周波電力の出力周波数によってはプラズマが消滅してしまう領域（周波数範囲）があり、探索範囲ｄが、少しでもプラズマが消滅してしまう領域に含まれないようにするためである。
【００４５】
次いで、例えば黄金比を用いて探索範囲ｄ内の２つの出力周波数ｆ３，ｆ４が設定され（図５の上図参照）、出力周波数ｆ３，ｆ４における反射係数Г３，Г４が計測される。そして、計測された反射係数Г３，Г４のうちで小さい方の反射係数（図５ではГ４）が選択され、その反射係数における出力周波数（図５ではｆ４）が取得される（Ｓ３）。
【００４６】
具体的には、制御部１２では、まず、発振部１２に高周波電力を出力周波数ｆ３で出力すべき制御信号が出力される。発振部１２では、増幅部１５に対して出力周波数ｆ３で出力すべき発振出力信号が出力され、増幅部１５から出力周波数ｆ３である高周波電力が負荷Ｌに対して出力される。パワー検出部１６では、出力された高周波電力に基づいて進行波の電力及び反射波の電力が検出され、それらは反射係数算出部１７に出力される。反射係数算出部１７では、それらの進行波の電力及び反射波の電力に基づいて反射係数Г３が算出され、制御部１２に出力される。これにより、制御部１２は、出力周波数ｆ３における反射係数Г３を取得する。
【００４７】
制御部１２では、同様にして、発振部１２に高周波電力を出力周波数ｆ４で出力すべき制御信号が出力されることにより、出力周波数ｆ４における反射係数Г４が取得される。そして、反射係数Г３，Г４のうち、小さい方の反射係数Г４が選択され、選択された反射係数Г４とそのときの出力周波数ｆ４とは、一旦メモリ１３に記憶される。なお、探索範囲ｄ内の２つの出力周波数ｆ３，ｆ４を設定する方法は、黄金比を用いる方法に限るものではない。
【００４８】
次いで、制御部１２では、取得した出力周波数に基づいて反射係数の最小値を探索する探索処理（以下、「局所探索処理」という。）が行われる。この局所探索処理では、図５に示すように、大略探索処理において取得された出力周波数がｆ４であったとした場合、出力周波数ｆ４を探索範囲の中心として設定し、出力周波数ｆ４を中心とした所定の探索範囲ｄ′（出力周波数ｆ５〜出力周波数ｆ６）を決定する（Ｓ４）。この場合、探索範囲ｄ′は、経験的に習得された値が採用されるが、ステップＳ２で設定した範囲と同じ範囲（±１００ｋＨｚ）でもよく、ステップＳ２で設定した範囲に定数を掛け合わせた範囲でもよい。
【００４９】
探索範囲ｄ′が決定されると、上記探索範囲ｄ′内における例えば黄金比で決定された出力周波数ｆ７，ｆ８において、反射係数の小さい方の出力周波数（図５ではｆ８）が取得される（Ｓ５）。このとき、取得された出力周波数ｆ８の値と、当該出力周波数における反射係数Г８とは、一旦メモリ１３に記憶される。
【００５０】
次いで、このときの出力周波数ｆ８における反射係数Г８と、前回の探索時に取得した出力周波数ｆ４における反射係数Г４とを比較し、いずれが大きいか否かを判別する（Ｓ６）。前回の探索時に取得した反射係数Г４が今回の探索時に取得した反射係数Г８より大きい場合（Ｓ６：ＮＯ）、ステップＳ４に戻り、さらに局所探索処理を行う。すなわち、この状態は、図６に示すように、今回取得した反射係数Г８が前回取得した反射係数Г４より小さいときを表しており、つまり反射係数の最小値は、今回取得した反射係数Г８よりさらに小さい場合であり、この場合には、反射係数の最小値を探索するために局所探索処理をさらに行う。なお、このときの局所探索処理では、今回取得した出力周波数ｆ８が基準出力周波数として設定される。
【００５１】
一方、前回の探索時に取得した反射係数Г４が今回の探索時に取得した反射係数Г８より小さい場合、又は反射係数Г４及び反射係数Г８の値が同じ場合（Ｓ６：ＹＥＳ）、ステップＳ７に進む。すなわち、この状態は、図７に示すように、前回取得した反射係数Г４が今回取得した反射係数Г８より小さいか又は同じときを表しており、つまり、前回取得した反射係数Г４が最小値となっている場合である。このようにして、反射係数Г４が探索範囲内における最小値として取得される（Ｓ７）。
【００５２】
次に、ステップＳ８では、前回の探索時に取得し、最小値として取得された反射係数Г４に基づいて、その反射係数が変動した場合に、変動する反射係数の値を追従するか否かの判別基準となる変動基準幅を決定する。
【００５３】
以下では、変動基準幅の決定方法について説明する。図８は、例えばメモリ１３に記憶される変動基準幅を示すテーブルである。図８によれば、反射係数は、その値に応じて複数のゾーンに区分けされており、各ゾーンによって変動基準幅が異なるように予め設定されている。また、反射係数の値が大きいゾーンほど、変動基準幅が小さくなるように設定されている。例えば、図９に示すように、最小値として取得した反射係数Г４がＡゾーン内にあるとすると、反射係数Г４の変動基準幅は例えば±１０％とされる。また、例えば、最小値として取得した反射係数Г４がＥゾーン内にあるとすると、反射係数Г４の変動基準幅は例えば±５００％とされる。
【００５４】
ここで、Ａゾーンにある反射係数Г４が時間の経過にともなって変動し、反射係数の値が±１０％の範囲を外れたときに、その反射係数を追従する追従処理が行われるようになっている。また、Ｅゾーンにある反射係数Г４が時間の経過にともなって変動し、反射係数の値が±５００％の範囲を外れたときに、その反射係数を追従する追従処理が行われるようになっている。
【００５５】
このように、反射係数の大小によって変動基準幅が異なるように設定されているのは、仮に各ゾーンで変動基準幅が同じであって反射係数が小さい場合に変動基準幅が小さく設定されているとすると、追従処理を頻繁に行う必要がある。反射係数が小さい場合には、負荷の状態が比較的安定しているため、そのような状態で追従処理を行ってもあまり意味がないからである。また、逆に、反射係数が大きい場合に変動基準幅が大きく設定されているとすると、追従処理があまり行われなくなる。反射係数が大きい場合には、その変化が激しいため、その変化を適格に捉える必要があるからである。
【００５６】
なお、上記したゾーンの数は、図８に示したテーブルにおける数に限るものではない。また、変動基準幅は、図１０に示すように、反射係数の絶対値によって反射係数が大きいほど変動基準幅が小さくなるように区分されていてもよい。
【００５７】
図２に戻り、制御部１２では、反射係数が定期的に監視され、反射係数が上記変動基準幅を外れるか否かが判別される。すなわち、制御部１２では、タイマー割り込み信号が反射係数算出部１７に出力され（Ｓ９）、タイマー割り込み時に反射係数算出部１７で算出された反射係数Гｃの値が取り込まれる（Ｓ１０）。すなわち、取り込まれる反射係数Гｃの値は、現時点において計測された反射係数の値である。そして、取り込んだ反射係数ГｃとステップＳ８において設定した反射係数の変動基準幅の上限値Гｕとが比較され、取り込んだ反射係数Гｃの値が変動基準幅の上限値Гｕより小さいか否かを判別する（Ｓ１１）。
【００５８】
取り込んだ反射係数Гｃが変動基準幅の上限値Гｕより小さい場合（Ｓ１１：ＹＥＳ）、取り込んだ反射係数ГｃとステップＳ８において設定した反射係数の変動基準幅の下限値Гｄとが比較され、取り込んだ反射係数Гｃの値が変動基準幅の下限値Гｄより大きいか否かが判別される（Ｓ１２）。取り込んだ反射係数Гｃが変動基準幅の下限値Гｄより大きい場合（Ｓ１２：ＹＥＳ）、ステップＳ９に戻り、再度、定期的に反射係数が上記変動基準幅を外れるか否かが判別される。すなわち、この状態は、反射係数の変動が小さくて、変動基準幅を外れない場合を示している。
【００５９】
一方、取り込んだ反射係数Гｃの値が変動基準幅の上限値Гｕを越える場合（Ｓ１１：ＮＯ）、すなわち、反射係数が大きくなる方向に変動した場合、ステップＳ２の大略探索処理に戻り、取り込んだ反射係数Гｃにおける出力周波数を基準中心周波数ｆ０として探索範囲を決定し、再度、反射係数が最小となる出力周波数を取得する探索処理が行われる。
【００６０】
また、取り込んだ反射係数Гｃの値が変動基準幅の上限値Гｕを越えないが（Ｓ１１：ＹＥＳ）、取り込んだ反射係数Гｃの値が変動基準幅の下限値Гｄを下回った場合（Ｓ１２：ＮＯ）、すなわち、反射係数が小さくなる方向に変動した場合も、ステップＳ２の大略探索処理に戻る。
【００６１】
以降、上記した大略探索処理及び局所探索処理を繰り返し、時間の経過にともない変化する反射係数が最小となる出力周波数を追従していく。反射係数Гｃの値が変動基準幅を外れた場合に行われる大略探索処理及び局所探索処理は、変化する反射係数が最小となる出力周波数を追従する追従処理として機能する。これにより、常時、反射係数が最小となる出力周波数を取得することができ、プラズマが発生している負荷Ｌに対して適切な高周波電力を供給することができる。
【００６２】
反射係数が最小となる出力周波数を探索する方法としては、例えば所定の周波数領域において出力周波数を所定の間隔でスキャンさせ、スキャンされた出力周波数における反射係数をそれぞれ計測し、計測された反射係数の中から最小の反射係数と、その最小の反射係数における出力周波数とを取得する方法もある。
【００６３】
しかしながら、この方法によれば、所定の間隔ごとにスキャンさせて反射係数を所定の間隔ごとに取得するので、時間が要するという欠点があり、変動する反射係数に対して迅速に処理していくことが困難である。ところが、本実施形態に係る探索方法によれば、所定の探索範囲を設定してその探索範囲内において最小となる反射係数を探索していくので、変動する反射係数の最小値を迅速に取得することができる。
【００６４】
もちろん、この発明の範囲は上述した実施の形態に限定されるものではない。
【図面の簡単な説明】
【００６５】
【図１】本願発明に係る高周波電源装置が適用される高周波電力供給システムの構成図である。
【図２】高周波電源装置の制御動作の概略を示す図である。
【図３】高周波電源装置の制御動作を示すフローチャートである。
【図４】基準出力周波数及び探索範囲を説明するための図である。
【図５】大略探索処理及び局所探索処理の説明するための図である。
【図６】局所探索処理を再度行う場合の出力周波数と反射係数との特性図である。
【図７】反射係数の最小値を取得したときの出力周波数と反射係数との特性図である。
【図８】ゾーンごとの変動基準幅を示すテーブルの一例を示す図である。
【図９】ゾーンと変動基準幅との関係を示す図である。
【図１０】ゾーンと変動基準幅との他の関係を示す図である。
【図１１】従来の高周波電力供給システムの構成図である。
【図１２】出力周波数と反射係数との特性図である。
【符号の説明】
【００６６】
１  高周波電源装置
３  インピーダンス整合器
１１  出力電力設定部
１２  制御部
１３  メモリ
１４  発振部
１５  増幅部
１６  パワー検出部
１７  反射係数算出部
ｄ  探索範囲
ｆ０  基準出力周波数
Ｌ  負荷
【図１】
2006286254.tif 000003
【図２】
2006286254.tif 000004
【図３】
2006286254.tif 000005
【図４】
2006286254.tif 000006
【図５】
2006286254.tif 000007
【図６】
2006286254.tif 000008
【図７】
2006286254.tif 000009
【図８】
2006286254.tif 000010
【図９】
2006286254.tif 000011
【図１０】
2006286254.tif 000012
【図１１】
2006286254.tif 000013
【図１２】
2006286254.tif 000014